(57)【特許請求の範囲】
【請求項１】
名札を保持するための名札ケースと、
前記名札ケースに取り付けられて前記名札ケースまたは前記名札に関する情報を記憶するためのＩＣモジュール部材とを備え、
前記名札ケースは、本体部と、該本体部を来場者の衣服に取り付けるための取付け部と、該取付け部と前記本体部とを連結するための連結部とから構成され、
前記本体部は、１枚の全体的に矩形状の透明なプラスチックシート部材を３つ折りに折り曲げることによって形成され、
前記本体部の一端は、他端との間に前記ＩＣモジュール部材の収容空間を形成するように折り返され、
前記ＩＣモジュール部材は、前記本体部の前記一端からなる折返し部によって覆われるように前記本体部に貼着されていることを特徴とするＩＣモジュール部材付き名札ケース。
【発明の詳細な説明】
【０００１】
【発明の属する技術分野】
本発明は、ＩＣモジュール部材付き名札ケースおよび該名札ケースを用いた来場者管理方法に関する。
【０００２】
【従来の技術】
近年、各種のショー会場、展示会場、遊戯会場などのイベント会場は、その規模がますます拡大しつつある。このため、これらのイベント会場での来場者受付は、受け付ける側にとって非常に煩雑であるだけでなく、来場者にとっても受付処理時間が長くなるので非常に煩わしいものであった。
【０００３】
そこで、イベント会場への来場予定者に非接触型のＩＣカードを予め送付し、イベント会場に実際に来場した各来場者が携帯するＩＣカードを利用して来場者受付を含む来場者管理を効率的に行うシステムが提案されている。
【０００４】
【発明が解決しようとする課題】
しかしながら、イベント会場によっては、来場予定者以外に多数の来場者が訪れる場合がある。この場合、来場予定者以外の各来場者に対して、受付で新たにＩＣカードを発行することは繁雑な作業であり、受付における渋滞を招きかねない。
【０００５】
また、来場予定者に非接触型のＩＣカードを予め送付する場合、ＩＣカードには被招待者である来場予定者の氏名が印字されるのが普通である。その結果、この種のＩＣカードは比較的高価であるにもかかわらず１回ごとに使い切られることになり、場合によっては採算が合わなくなる場合もある。
【０００６】
本発明は、前述の課題に鑑みてなされたものであり、たとえばイベント会場において来場予定者以外に多数の来場者がある場合にも迅速で且つ効率的な来場者管理を行うことのできる、ＩＣモジュール部材付き名札ケースおよび該名札ケースを用いた来場者管理方法を提供することを目的とする。
【０００７】
また、たとえばイベント会場において多数の来場者に対して採算にあった効率的な来場者管理を行うことのできる、ＩＣモジュール部材付き名札ケースおよび該名札ケースを用いた来場者管理方法を提供することを目的とする。
【０００８】
【課題を解決するための手段】
前記課題を解決するために、本発明では、名札を保持するための名札ケースと、
前記名札ケースに取り付けられて前記名札ケースまたは前記名札に関する情報を記憶するためのＩＣモジュール部材とを備え、
前記名札ケースは、本体部と、該本体部を来場者の衣服に取り付けるための取付け部と、該取付け部と前記本体部とを連結するための連結部とから構成され、
前記本体部は、１枚の全体的に矩形状の透明なプラスチックシート部材を３つ折りに折り曲げることによって形成され、
前記本体部の一端は、他端との間に前記ＩＣモジュール部材の収容空間を形成するように折り返され、
前記ＩＣモジュール部材は、前記本体部の前記一端からなる折返し部によって覆われるように前記本体部に貼着されていることを特徴とするＩＣモジュール部材付き名札ケースを提供する。
【００１３】
【発明の実施の形態】
本発明では、名札を保持するための名札ケースに対して、名札ケースまたは名札に関する情報を記憶するためのＩＣモジュール部材を取り付けている。ここで、ＩＣモジュール部材は、情報記憶部を有するＩＣモジュールと、このＩＣモジュールに接続されて非接触方式の送受信を行うためのアンテナとを備えている。なお、ＩＣモジュール部材は、たとえば名札ケースの裏面側に取り付けられている。
【００１４】
また、名札ケースには、各名札ケースを特定するための識別コードが表示された識別コード表示部が設けられている。この場合、識別コードとして、識別番号や識別バーコードなどを用いることができる。なお、この識別コード表示部は、たとえば名札ケースの裏面側に設けられている。
【００１５】
以上の構成を有する本発明のＩＣモジュール部材付き名札ケースは、たとえば来場者管理に適用することができる。この場合、１つの適用例としての第１来場者管理方法では、たとえば来場予定者以外の来場者から２枚の名刺を受け取り、一方の名刺を名札ケースに保持させるとともに、他方の名刺を名札ケースに関連付けて保管する。具体的には、たとえば名札ケースの識別コード表示部に表示された識別番号を名刺に書き込んで保管する。そして、名刺を保持した名札ケースを来場者に携帯させる。
【００１６】
このように、第１来場者管理方法では、２枚の名刺を受け取って、一方の名刺を名札ケースに保持させ且つ他方の名刺に名札ケースの識別番号を書き込む作業は比較的簡単な作業である。その結果、第１来場者管理方法では、たとえばイベント会場において、来場予定者以外に多数の来場者がある場合にも、迅速で且つ効率的な来場者管理を行うことができる。
【００１７】
また、来場者管理への別の適用例としての第２来場者管理方法では、たとえば各来場者から名刺を受け取り、この名刺に関する情報を名札ケースに取り付けられたＩＣモジュール部材に書き込むとともに、名刺を名札ケースに保持させ、名刺を保持した名札ケースを各来場者に携帯させる。具体的には、たとえば名刺からＯＣＲ処理によって読み取った情報（氏名、会社名称、会社住所、電話番号、Ｅメールアドレスなど）が、ＩＣモジュール部材に組み込まれたＩＣモジュールの記憶部に記憶される。
【００１８】
このように、受け取った名刺に関する情報を名札ケースに取り付けられたＩＣモジュール部材に書き込む作業は比較的繁雑であり、第１来場者管理方法よりは受付時間が長くかかる。しかしながら、第２来場者管理方法では、各来場者に対して使い切りではなく繰り返し使用可能な名札ケースを使用することにより、来場予定者に使い切りの比較的高価なＩＣカードを予め送付する必要がないので、多数の来場者に対して採算にあった効率的な来場者管理を行うことができる。
【００１９】
本発明の実施形態を、添付図面に基づいて説明する。
図１は、本発明の第１実施形態にかかるＩＣモジュール部材付き名札ケースの構成を概略的に示す図であって、（ａ）はＩＣモジュール部材付き名札ケースの表面側から見た図であり、（ｂ）は裏面側から見た図であり、（ｃ）は側面側から見た図である。なお、第１実施形態では、一例として、来場者管理用の名札ケースに本発明を適用している。
【００２０】
図示のＩＣモジュール部材付き名札ケースは、たとえば名刺のような名札を保持するための名札ケース１と、この名札ケース１に取り付けられたＩＣモジュール部材２とを備えている。
ここで、名札ケース１は、その本体部１ａと、本体部１ａをその来場者の衣服に取り付けるための取付け部１ｂと、この取付け部１ｂと本体部１ａとを連結するための連結部１ｃとから構成されている。
【００２１】
なお、取付け部１ｂはクリップ１ｄと安全ピン１ｅ（図１（ｃ）では不図示）とを備え、本体部１ａをその来場者の衣服に取り付ける際にいずれか一方を選択的に使用することができる。また、本体部１ａは、たとえば１枚の全体的に矩形状の透明なプラスチックシート部材を、図１（ｃ）に示すように折り曲げることによって形成されている。したがって、図１（ａ）に示す両方向矢印Ｆに沿って水平方向に、名札ケース１に対して名刺を出し入れすることができる。
【００２２】
さらに、図１（ｂ）に示すように、名札ケース１の本体部１ａの裏面側には、各名札ケースを特定するための識別コードが表示された識別コード表示部３が設けられている。ここで、識別コード表示部３に表示された識別コードは、識別番号である。なお、識別コードは、識別番号に限定されることなく、識別バーコード（２次元バーコードを含む）などを用いることができる。また、識別コード表示部３を名札ケース１の本体部１ａの表面側に設けることもできる。
【００２３】
一方、ＩＣモジュール部材２は、図２に示すように、情報記憶部を有するＩＣモジュール（ＩＣチップ）２ａと、ＩＣモジュール２ａに接続されて非接触方式の送受信（すなわち通信）を行うためのアンテナ２ｂとを備えている。そして、ＩＣモジュール２ａおよびアンテナ２ｂは、一対の矩形状の基板２ｃと２ｄとの間に挟まれるように保持されている。このように、ＩＣモジュール部材２は、一般に知られた非接触型のＩＣカードやＩＣラベルなどと同様の構成を有するが、全体的に細長い短冊状に形成されている点だけが基本的に相違している。したがって、ＩＣモジュール部材２のさらに詳細な構成に関する説明は省略する。
【００２４】
一般に、ＩＣモジュール部材２は、名札ケース１に関する情報、すなわち名札ケース１を特定するための識別情報などを必要に応じて記憶する。また、ＩＣモジュール部材２は、名札ケース１に保持された名刺に関する情報、すなわち氏名、会社名称、会社住所、電話番号、Ｅメールアドレスなどの属性情報を必要に応じて記憶する。ＩＣモジュール部材２は、図１（ｃ）に明瞭に示すように、本体部１ａの折返し部１ｆによって覆われるように本体部１ａに貼着されている。
【００２５】
以上のように構成された第１実施形態のＩＣモジュール部材付き名札ケースは、一例として、以下の第１来場者管理方法に適用することができる。
図３は、第１実施形態のＩＣモジュール部材付き名札ケースを適用した第１来場者管理方法の受付フローを説明するフローチャートである。以下、図３のフローチャートを参照して、第１来場者管理方法を説明する。
【００２６】
第１来場者管理方法では、図３に示すように、各種のショー会場、展示会場、遊戯会場などのイベント会場において、来場予定者以外の来場者から２枚の名刺を受け取る（Ｓ１１）。そして、受け取った２枚の名刺のうち、一方の名刺を名札ケース１の本体部１ａに挿入して保持させる（Ｓ１２）。また、受け取った２枚の名刺のうち他方の名刺に、名札ケース１の識別コード表示部３に表示された識別番号を書き込んで保管する（Ｓ１３）。すなわち、他方の名刺を名札ケース１に関連付けて保管する。
【００２７】
次いで、名刺を保持した名札ケース１を来場者に携帯させる（Ｓ１４）。ここで、名札ケース１に取り付けられたＩＣモジュール部材２には、名札ケース１の識別コード表示部３に表示された識別番号の情報が、名札ケース１に関する情報として予め記憶されている。したがって、この識別番号によって特定された来場者のイベント会場における行動などを、名札ケース１に取り付けられたＩＣモジュール部材２を利用して効率的に管理することができる。
【００２８】
具体的には、たとえば来場者の各ブースへの入場時間や退出時間をＩＣモジュール部材２に書き込んで記憶させることにより、来場者の各ブースでの滞在時間などを管理することができる。このとき、各ブースに設置されたコンピュータに接続されたリーダー・ライターに名札ケース１を近づけるだけで、名札ケース１に取り付けられたＩＣモジュール部材２に入場時間や退出時間を書き込むことができる。
【００２９】
なお、名札ケース１を最終的に回収したときに、名札ケース１から名刺が抜け落ちているような場合にも、識別番号を書き込んで別途保管した名刺を利用することにより、回収した名札ケース１とこれを実際に携帯していた来場者（ひいては来場者の属性情報）とを正確に対応付けることができる。
【００３０】
このように、第１来場者管理方法では、２枚の名刺を受け取って、一方の名刺を名札ケース１に保持させ且つ他方の名刺に名札ケース１の識別番号を書き込む作業は比較的簡単な作業である。その結果、第１来場者管理方法では、イベント会場において、来場予定者以外に多数の来場者がある場合にも、迅速で且つ効率的な来場者管理を行うことができる。
【００３１】
図４は、本発明の第２実施形態にかかるＩＣモジュール部材付き名札ケースの構成を概略的に示す図であって、（ａ）はＩＣモジュール部材付き名札ケースの表面側から見た図であり、（ｂ）は裏面側から見た図であり、（ｃ）は側面側から見た図である。なお、第２実施形態においても第１実施形態と同様に、来場者管理用の名札ケースに本発明を適用している。
【００３２】
第２実施形態は、第１実施形態と類似の構成を有する。しかしながら、第２実施形態では、名札ケースの本体部の構成および識別コード表示部の有無だけが第１実施形態と基本的に相違している。したがって、図４において、第１実施形態の構成要素と同様の機能を有する要素には図１と同じ参照符号を付している。以下、第１実施形態との相違点に着目して、第２実施形態を説明する。
【００３３】
第２実施形態では、図４（ｃ）に示すように、名札ケース１の本体部１ａが所定の狭い間隔を隔てて配置された一対の矩形状の板状部材１ｇおよび１ｈを備えている。ここで、板状部材１ｇは表面側に配置され、板状部材１ｈは裏面側に配置されている。そして、一対の板状部材１ｇおよび１ｈは、その矩形形状の３つの辺、すなわち図中の左右の辺および下辺に沿った形状を有する一定の厚さの細長い介在部材１ｊに貼着されている。したがって、第２実施形態では、図４（ａ）に示す両方向矢印Ｆに沿って鉛直方向に、名札ケース１に対して名刺を出し入れすることができる。
【００３４】
また、ＩＣモジュール部材２は、裏面側の板状部材１ｈ上の所定位置に貼着されている。さらに、名札ケース１の本体部１ａには、第１実施形態とは異なり、識別コード表示部が設けられていない。
以上のように構成された第２実施形態のＩＣモジュール部材付き名札ケースは、一例として、以下の第２来場者管理方法に適用することができる。
【００３５】
図５は、第２実施形態のＩＣモジュール部材付き名札ケースを適用した第２来場者管理方法の受付フローを説明するフローチャートである。以下、図５のフローチャートを参照して、第２来場者管理方法を説明する。
第２来場者管理方法では、図５に示すように、イベント会場において、各来場者から名刺を受け取る（Ｓ２１）。そして、受け取った名刺に関する情報を名札ケース１に取り付けられたＩＣモジュール部材２に書き込む（Ｓ２２）。
【００３６】
具体的には、たとえばＯＣＲ処理によって名刺から読み取った来場者の属性情報、すなわち氏名、会社名称、会社住所、電話番号、Ｅメールアドレスなどを、ＩＣモジュール部材２に組み込まれたＩＣモジュール２ａの記憶部に記憶させる。次いで、名刺を名札ケース１に挿入して保持させ（Ｓ２３）、名刺を保持した名札ケース１を来場者に携帯させる（Ｓ２４）。こうして、第２来場者管理方法においても、第１来場者管理方法と同様に、名札ケース１に取り付けられたＩＣモジュール部材２を利用して効率的に来場者管理することができる。
【００３７】
第２来場者管理方法では、受け取った名刺に関する情報を名札ケース１に取り付けられたＩＣモジュール部材２に書き込む作業は比較的繁雑であり、第１来場者管理方法よりは受付時間が長くかかる。しかしながら、第２来場者管理方法では、各来場者に対して使い切りではなく繰り返し使用可能な名札ケース１を使用することにより、来場予定者に使い切りの比較的高価なＩＣカードを予め送付する必要がないので、多数の来場者に対して採算にあった効率的な来場者管理を行うことができる。
【００３８】
なお、上述の各実施形態では、来場者管理に本発明を適用しているが、たとえば出席管理や入退室管理などの一般的な種々の管理方法に本発明を適用することができる。
また、上述の各実施形態では、名刺を名札ケースに保持させているが、名刺に限定されることなく、他の一般的な種々の名札に本発明を適用することができる。
【００３９】
さらに、上述の各実施形態では、上述の各実施形態では、名刺を名札ケースに挿入することによって保持させているが、挿入形式に限定されることなく、他の一般的な種々の名札ケースに本発明を適用することができる。
また、上述の各実施形態では、ＩＣモジュール部材を名札ケースの裏面側に取り付けているが、これに限定されることなく、場合によっては表面側に取り付けることができる。さらに、ＩＣモジュール部材についても、その形状および構成などに関して様々な変形例が可能である。
【００４０】
【発明の効果】
以上説明したように、本発明では、たとえばイベント会場において来場予定者以外に多数の来場者がある場合にも迅速で且つ効率的な来場者管理を行うことができる。
また、たとえばイベント会場において多数の来場者に対して採算にあった効率的な来場者管理を行うことができる。
【図面の簡単な説明】
【図１】本発明の第１実施形態にかかるＩＣモジュール部材付き名札ケースの構成を概略的に示す図であって、（ａ）はＩＣモジュール部材付き名札ケースの表面側から見た図であり、（ｂ）は裏面側から見た図であり、（ｃ）は側面側から見た図である。
【図２】図１のＩＣモジュール部材の内部構成を示す拡大断面図である。
【図３】第１実施形態のＩＣモジュール部材付き名札ケースを適用した第１来場者管理方法の受付フローを説明するフローチャートである。
【図４】本発明の第２実施形態にかかるＩＣモジュール部材付き名札ケースの構成を概略的に示す図であって、（ａ）はＩＣモジュール部材付き名札ケースの表面側から見た図であり、（ｂ）は裏面側から見た図であり、（ｃ）は側面側から見た図である。
【図５】第２実施形態のＩＣモジュール部材付き名札ケースを適用した第２来場者管理方法の受付フローを説明するフローチャートである。
【符号の説明】
１  名札ケース
１ａ  本体部
１ｂ  取付け部
１ｃ  連結部
１ｄ  クリップ
１ｅ  安全ピン
２  ＩＣモジュール部材
２ａ  ＩＣモジュール
２ｂ  アンテナ
３  識別コード表示部
【図１】
0004530310.tif 000002
【図２】
0004530310.tif 000003
【図３】
0004530310.tif 000004
【図４】
0004530310.tif 000005
【図５】
0004530310.tif 000006